(57)【要約】【課題】生地を傷めず、加工の必要もなく、磁石や装飾品など任意の物品を任意の位置に装着することが可能な生地挟着用保持具を提供する。【解決手段】生地Ｐの表面に配される保持体１０を設ける。生地Ｐを挟み込んで保持体１０に嵌合せしめる合成樹脂製の挟着体２０を設ける。保持体１０の生地Ｐ側に円形状の開口部を有する嵌合凹部１１を形成する。該嵌合凹部１１の開口部内側面に係止突条１２を周設する。該係止突条１２に生地Ｐを介して嵌合せしめる係止突起２１を挟着体２０の外周囲に形成する。保持体１０若しくは挟着体２０のいずれか、又は両方に永久磁石Ｑ又は装飾品Ｒを装着できるように構成する。【選択図】  図３
2015061699.tif 000002
【特許請求の範囲】
【請求項１】
生地の表面に配される保持体と、生地の裏面に配され該生地を挟み込んで保持体に嵌合せしめる挟着体とで構成され、保持体の生地側に円形状の開口部を有する嵌合凹部を形成すると共に、該嵌合凹部の開口部内側面に係止突条を周設し、該係止突条に生地を介して嵌合せしめる係止突起を挟着体の外周囲に形成し、保持体若しくは挟着体のいずれか、又は両方に永久磁石又は装飾品を装着できるように構成したことを特徴とする生地挟着用保持具。
【請求項２】
前記挟着体の前記係止突起は、前記保持体の前記嵌合凹部の直径より小さく、且つ、前記嵌合凹部に挟み込んだ前記生地を介して前記係止突条に係止するように構成した請求項１記載の生地挟着用保持具。
【請求項３】
前記挟着体の前記生地側に磁石を収納する収納凹部を形成し、該収納凹部に磁気治療用の永久磁石を収納した請求項１又は２記載の生地挟着用保持具。
【請求項４】
前記挟着体の外周側面に前記係止突起が平行に二条形成され、該係止突起の相互間に前記係止突条が前記生地を介して嵌合係止するように構成した請求項１又は２記載の生地挟着用保持具。
【請求項５】
前記保持体は、保持体自体が装飾品として形成された請求項１又は２記載の生地挟着用保持具。
【請求項６】
前記保持体の外側面に連結部材を設け、該連結部材に装飾品を連結した請求項１又２又は４記載の生地挟着用保持具。
【発明の詳細な説明】
【技術分野】
【０００１】
本発明は、生地を挟み込んで装着する生地挟着用保持具に係り、生地の表面に磁石等の医療品や宝石等の装飾品を保持することができる生地挟着用保持具に関するものである。
【背景技術】
【０００２】
特許文献１に、磁石体を内蔵した磁気治療器としての雄スナップボタンが記載されている。この雄スナップボタンは、ズボンのウエスト部に、治具等を用いて雌スナップボタンを予め固着しておき、磁石付雄スナップボタンを雌スナップボタンに係合固着するものである。
【０００３】
特許文献２には、釦形磁石体が記載されている。この釦形磁石体は、生地を裏面から貫通した加締部材の鋲脚先端を、磁石体本体の閉塞板の鋲挿入用孔に当接して加締部材側から打撃を加え、鋲脚の先端を鋲挿入用孔に貫通させるとともに座グリ段内へ挿入した先端部を扁平に変形させることにより、確実に生地に取付けるというものである。
【０００４】
特許文献３には、磁石を飾りボタンと共に装着する各種バンドが記載されている。このバンドによると、内側に磁石を装着し、外側に飾りボタンを装着する構成をなしている。
【先行技術文献】
【特許文献】
【０００５】
【特許文献１】実用新案登録第３１５３２５１号公報
【特許文献２】実用新案登録第２５６１４９０号公報
【特許文献３】実用新案登録第３０２３５３６号公報
【発明の概要】
【発明が解決しようとする課題】
【０００６】
ところが特許文献１の雄スナップボタンは、ズボンのウエスト部に、治具等を用いて、雌スナップボタンを予め固着しておく必要があるので、装着位置がウエスト部に限定される不都合があった。しかも、雄スナップボタンに収納できるのは、磁石に限定されているので、他の装飾品等を保持することはできない。
【０００７】
また、特許文献２に記載の釦形磁石体は、加締部材の鋲脚先端を生地の裏面から貫通させて装着する構成なので、生地に孔が開いてしまう不都合があった。しかも、生地に装着できるのは、磁石に限定されているので、他の装飾品等を生地に装着することができなかった。
【０００８】
一方、特許文献３に記載の各種バンドの構成では、磁石や飾りボタンを装着することは可能であるが、各種バンドに装着用の孔を形成する必要があった。したがって、特許文献３に記載されている飾りボタンを他の生地に装着するには、他の生地等に装着用の孔を加工する必要がある。
【０００９】
そこで本発明は上述の課題を解消すべく案出されたもので、生地を傷めず、加工の必要もなく、磁石や装飾品など任意の物品を任意の位置に装着することが可能な生地挟着用保持具の提供を目的とする。
【課題を解決するための手段】
【００１０】
上述の目的を達成すべく本発明の第１の手段は、生地Ｐの表面に配される保持体１０と、生地Ｐの裏面に配され該生地Ｐを挟み込んで保持体１０に嵌合せしめる挟着体２０とで構成され、保持体１０の生地Ｐ側に円形状の開口部を有する嵌合凹部１１を形成すると共に、該嵌合凹部１１の開口部内側面に係止突条１２を周設し、該係止突条１２に生地Ｐを介して嵌合せしめる係止突起２１を挟着体２０の外周囲に形成し、保持体１０若しくは挟着体２０のいずれか、又は両方に永久磁石Ｑ又は装飾品Ｒを装着できるように構成したことにある。
【００１１】
第２の手段の前記挟着体２０の前記係止突起２１は、前記保持体１０の前記嵌合凹部１１の直径より小さく、且つ、前記嵌合凹部１１に挟み込んだ前記生地Ｐを介して前記係止突条１２に係止するように構成している。
【００１２】
第３の手段は、前記挟着体２０の前記生地Ｐ側に磁石Ｑを収納する収納凹部２２を形成し、該収納凹部２２に磁気治療用の永久磁石Ｑを収納したものである。
【００１３】
第４の手段において、前記挟着体２０の外周側面に前記係止突起２１が平行に二条形成され、該係止突起２１の相互間に前記係止突条１２が前記生地Ｐを介して嵌合係止するように構成したものである。
【００１４】
第５の手段において、前記保持体１０は、保持体１０自体が装飾品Ｒとして形成されたものである。
【００１５】
第６の手段は、前記保持体１０の外側面に連結部材３０を設け、該連結部材３０に装飾品Ｒを連結したものである。
【発明の効果】
【００１６】
本発明の請求項１によると、保持体１０の生地Ｐ側に円形状の開口部を有する嵌合凹部１１を形成すると共に、該嵌合凹部１１の開口部内側面に係止突条１２を周設し、該係止突条１２に生地Ｐを介して嵌合せしめる係止突起２１を挟着体２０の外周囲に形成し、保持体１０若しくは挟着体２０のいずれか、又は両方に永久磁石Ｑ又は装飾品Ｒを装着できるように構成したことにより、永久磁石Ｑや装飾品Ｒを任意に装着することができる。
【００１７】
請求項２によると、係止突起２１は、保持体１０の嵌合凹部１１の直径より小さく、且つ、嵌合凹部１１に挟み込んだ生地Ｐの厚みで係止突条１２に係止するように構成しているので、装着時に、生地の裏面から貫通させたり、生地に装着用の孔を加工したりせずに済むので、生地を傷めず任意の位置に装着することが可能である。
【００１８】
請求項３のように、挟着体２０の前記生地Ｐ側に磁石Ｑを収納する収納凹部２２を形成し、該収納凹部２２に磁気治療用の永久磁石Ｑを収納することで、磁気治療に好適な使用ができる。
【００１９】
請求項４のごとく、挟着体２０の外周側面に前記係止突起２１が平行に二条形成され、該係止突起２１の相互間に前記係止突条１２が前記生地Ｐを介して嵌合係止するように構成したことで、生地Ｐを利用して係止突起２１と係止突条１２とを確実に係止でき、しかも、生地Ｐを損傷させる不都合もない。
【００２０】
請求項５によると、保持体１０自体が装飾品Ｒとして形成されるので、保持体１０の形状や色彩等により任意の装飾を楽しむことができる。
【００２１】
請求項６のように、保持体１０の外側面に連結部材３０を設け、該連結部材３０に装飾品Ｒを連結することで、保持体１０の形状や色彩に限定されない幅広い装飾を楽しむことが可能になる。
【図面の簡単な説明】
【００２２】
【図１】本発明の一実施例を示す分解斜視図である。
【図２】本発明の一実施例を示す側断面図である。
【図３】本発明の装着状態を示す側断面図である。
【図４】本発明の使用例を示す背面図である。
【図５】本発明の他の実施例を示す分解斜視図である。
【図６】本発明の他の装着状態を示す側断面図である。
【図７】本発明の他の使用例を示す側面図である。
【図８】本発明の他の実施例を示す分解斜視図である。
【図９】本発明の他の使用例を示す正面図である。
【発明を実施するための形態】
【００２３】
本発明によると、生地を貫通するような損傷がなく、また貫通孔の加工の必要もなく、磁石や装飾品など任意の物品を任意の位置に装着することが可能であるなどといった当初の目的を達成した。
【００２４】
以下、本発明の実施例を説明する。本発明の基本構成は、保持体１０と挟着体２０とで構成されている（図１参照）。保持体１０は、生地Ｐの表面に配される部材で、挟着体２０は、生地Ｐの裏面に配される部材である（図２参照）。そして、生地Ｐを挟み込んで保持体１０と挟着体２０とが嵌合するように設けている（図３参照）。
【００２５】
保持体１０には、生地Ｐ側に円形状の開口部を有する嵌合凹部１１を形成している（図２参照）。更に、この嵌合凹部１１の開口部内側面に係止突条１２を周設したものである。一方、挟着体２０の外周囲に係止突起２１を形成し、嵌合凹部１１に生地Ｐを介して係止突条１２を嵌合せしめるものである（図３参照）。
【００２６】
挟着体２０の係止突起２１は、保持体１０の嵌合凹部１１の直径より小さく形成されている（図３参照）。そして、嵌合凹部１１に挟み込んだ生地Ｐの厚みで係止突条１２に係止突起２１が係止するように構成している。
【００２７】
永久磁石Ｑや装飾品Ｒは、保持体１０若しくは挟着体２０のいずれかに装着する。また、両方に装着することも可能である。
【００２８】
図１乃至図４に示す保持体１０は、係止突条１２の反対側に貫通孔１３を形成している。この貫通孔１３から保持体１０の内部に挟み込んだ生地Ｐが表出する状態になっている（図３参照）。
【００２９】
図１乃至図３に示す挟着体２０は、挟着体２０の生地Ｐ側に磁石Ｑを収納する収納凹部２２を形成したものである。この収納凹部２２に永久磁石Ｑを収納することで、磁気治療具としての使用が可能になる。
【００３０】
図示例では、永久磁石Ｑを装着してベストの裏側に多数配置した例を示している（図４参照）。このように、磁気治療に使用する場合は、最も効果的な位置を選択して配置することができる。
【００３１】
図５、図６、図８に示す挟着体２０は、外周側面に前記係止突起２１が平行に二条形成されている。そして、係止突起２１の相互間に係止突条１２が生地Ｐを介して嵌合係止するように構成している（図６参照）。すなわち、係止突起２１と係止突条１２との間隙は、生地Ｐの厚みにより適宜選択されるもので、各種の生地Ｐの厚みに合わせて形成されている。
【００３２】
図５乃至図７に示す保持体１０は、保持体１０自体が装飾品Ｒとして形成されている。図示例では帽子形状に形成し、ソックスに装着した状態を示している。この保持体１０のデザインや被装着物Ｓは任意に選択できるものである。
【００３３】
図８、図９に示す保持体１０には、外側面に連結部材３０を設け、該連結部材３０に別部材の宝飾状の装飾品Ｒを連結している。図示例では、ネクタイに装着した状態を示している。このように連結部材３０を装着することで、より広範囲な装飾が可能になる。
【００３４】
尚、本発明は図示例に限られるものではなく、保持体１０や挟着体２０の各構成部材の寸法、材質、及び被装着物等は任意に変更することが可能である。
【符号の説明】
【００３５】
Ｐ  生地
Ｑ  永久磁石
Ｒ  装飾品
Ｓ  被装着物
１０  保持体
１１  嵌合凹部
１２  係止突条
２０  挟着体
２１  係止突起
２２  収納凹部
３０  連結部材
【図１】
2015061699.tif 000003
【図２】
2015061699.tif 000004
【図３】
2015061699.tif 000005
【図４】
2015061699.tif 000006
【図５】
2015061699.tif 000007
【図６】
2015061699.tif 000008
【図７】
2015061699.tif 000009
【図８】
2015061699.tif 000010
【図９】
2015061699.tif 000011